(57)【要約】【課題】従来の手乾燥装置は吹出口が２系統の複雑で高価な構成と吹出方向を切り換え、且つノズル部に設けられたスイッチ操作をする２段階の操作が必要なため、簡易な操作方法で、安価な構成の手乾燥装置を提供することを目的とする。【解決手段】本体１に送風手段２と給気する吸込口３と前記送風手段２を駆動する制御手段４を備えた手乾燥装置において、発停条件の検出を行う運転判断手段５と、吹出口６を備えたノズル部７と、前記ノズル部７と前記本体１とが着脱可能なように形成された固定部８にて固定され、前記送風手段２からの送風を前記吹出口６へと導き、伸縮折り曲げ自在に形成された送風路９にて接続し、本体１とノズル部７を着脱可能な構成としたので、１段階の操作において送風の発停ができ、吹出口１系統の構成のため簡易で安価な送風方向の間違いをなくすことができる手乾燥装置を得られる。【選択図】図１
2007151721.tif 000002
【特許請求の範囲】
【請求項１】
本体に送風手段と給気する吸込口と前記送風手段を駆動する制御手段を備えた手乾燥装置において、発停条件の検出を行う運転判断手段と、吹出口を備えたノズル部と、前記ノズル部と前記本体とが着脱可能なように形成された固定部にて固定され、前記本体と前記ノズル部が、前記送風手段からの送風を前記吹出口へと導き、伸縮折り曲げ自在に形成された送風路にて接続されることを特徴とする手乾燥装置。
【請求項２】
運転判断手段を手動型開閉器としたことを特徴とする請求項１記載の手乾燥装置。
【請求項３】
運転判断手段を非接触型センサーとしたことを特徴とする請求項１記載の手乾燥装置。
【請求項４】
固定部をマグネットとしたことを特徴とする請求項１記載の手乾燥装置。
【請求項５】
ノズル部の着脱を検出する着脱検出手段を備えたことを特徴とする請求項１記載の手乾燥装置。
【請求項６】
ノズル部を本体に固定しているときに作動する第一運転判断手段と、本体からノズル部が取り外されたときに作動する前記第一運転判断手段とは検出方式の異なる第二運転判断手段とを備えたことを特徴とする請求項５記載の手乾燥装置。
【請求項７】
ノズル部の着脱を検出すると送風の風量を切換える機能を有することを特徴とする請求項５記載の手乾燥装置。
【請求項８】
風量可変手段を備えたことを特徴とする請求項１記載の手乾燥装置。
【請求項９】
ヒーターを備えたことを特徴とする請求項１記載の手乾燥装置。
【請求項１０】
イオン発生器を備えたことを特徴とする請求項１記載の手乾燥装置。
【発明の詳細な説明】
【技術分野】
【０００１】
本発明は、洗面所やトイレ、キッチン等で手を洗い、濡れた手を乾燥させる手乾燥装置に関するものである。
【背景技術】
【０００２】
従来、この種の手乾燥装置は、送風方向を切換えて二種類の異なる乾燥用途を実現する方式としたものが知られている（例えば、特許文献１参照）。
【０００３】
以下、その手乾燥装置について図６および、図７を参照しながら説明する。図６および、図７に示すように、壁面に固定された本体１０１は、手を乾燥させるために設けられた乾燥空間１０２に備えた手検出手段１０３により、手の侵入を検出すると、送風手段１０４から送られた送風を送風路１０５を通して第一吹出口１０６より吹出し、手に風を当てることで乾燥させる第一の乾燥と、前記送風路１０５に備えられた送風切換え手段１０７において、送風方向を第二吹出口１０８と操作部１０９を備えたノズル部１１０に切換えた後に、前記操作部１０９により送風手段１０４へ運転信号を送ることで、送風手段１０４から送られた送風が送風切換え手段１０７、ホース１１１を介して第二吹出口１０８から吹出され、ノズル部１１０の先にある乾燥対象物の乾燥を実施して二種類の異なる乾燥用途を実現している。
【０００４】
また、別の方法として、送風機や吹出口などの共用を図り、手の乾燥と髪の毛の乾燥を実現する方式としたものが知られている（例えば、特許文献２および３参照）。
【特許文献１】特開２００４−４９７０２号公報
【特許文献２】特開平６−４６９２０号公報
【特許文献３】特開平６−４６９２１号公報
【発明の開示】
【発明が解決しようとする課題】
【０００５】
このような従来の手乾燥装置では、吹出口が２系統あり、構成を複雑とし高価なものにしているという課題があり、また使用目的に応じて吹出方向を切り換え、且つノズル部に設けられたスイッチ操作により、送風の発停をするという２段階の操作が必要であり、２段階操作のため、送風方向の切り換えを忘れた時は、吹出方向が異なることが発生し、ノズル方向に吹出したとき、ノズル部が暴れ出すという課題がある。
【０００６】
また、構成を共用化し簡易な構成としているが、吹出方向を可変するのみで本体設置場所から移動できないという課題がある。
【０００７】
本発明は、このような従来の課題を解決するものであり、吹出口を１系統とする構成のため、簡易な構成で安価にすることができ、また吹出口を任意に移動できる構成であり、操作方法としても吹出口を切り換える必要がなく、１段階の操作において送風の発停ができ、送風方向間違いをなくすことができる手乾燥装置を提供することを目的としている。
【課題を解決するための手段】
【０００８】
本発明の手乾燥装置は、上記目標を達成するため発停条件の検出を行う運転判断手段と、吹出口を備えたノズル部と、前記ノズル部と前記本体とが着脱可能なように形成された固定部にて固定され、前記本体と前記ノズル部が、前記送風手段からの送風を前記吹出口へと導き、伸縮折り曲げ自在に形成された送風路にて接続されることを特徴とする。そして、本発明によれば吹出口を１系統とする構成のため、簡易な構成で安価にするとともに吹出口を切り換える必要がなく、１段階の操作において送風の発停ができ、送風方向間違いをなくすことができる手乾燥装置が得られる。
【０００９】
また、運転判断手段を手動型開閉器としたことを特徴とする。
【００１０】
また、運転判断手段を非接触型センサーとしたことを特徴とする。
【００１１】
また、固定部をマグネットとしたことを特徴とする。
【００１２】
また、ノズル部の着脱を検出する着脱検出手段を備えたことを特徴とする。
【００１３】
また、ノズル部を本体に固定しているときに作動する第一運転判断手段と、本体からノズル部が取り外されたときに作動する前記第一運転判断手段とは検出方式の異なる第二運転判断手段とを備えたことを特徴とする。
【００１４】
また、ノズル部の着脱を検出すると送風の風量を切換える機能を有することを特徴とする。
【００１５】
また、風量可変手段を備えたことを特徴とする。また、ヒーターを備えたことを特徴とする。
【００１６】
また、イオン発生器を備えたことを特徴とする。
【発明の効果】
【００１７】
本発明によれば発停条件の検出を行う運転判断手段と、吹出口を備えたノズル部と、前記ノズル部と前記本体とが着脱可能なように形成された固定部にて固定され、前記本体と前記ノズル部が、前記送風手段からの送風を前記吹出口へと導き、伸縮折り曲げ自在に形成された送風路にて接続されることにより、ノズル部を本体から着脱可能な構成としたので、本体にノズル部を固定しているときは、両手を自由に動かしながら乾燥（第一の乾燥モード）でき、本体からノズル部を取り外したときは、吹出部を任意に移動させながら乾燥（第２の乾燥モード）あるいは移動させて移動先で固定して乾燥するという本体での乾燥と移動先での乾燥の２種類の乾燥用途を実現することができる。
【００１８】
例えば、キッチンに設置したときは、濡れた手を第一の乾燥モードにて素早く乾燥することができ、また、第２の乾燥モードにおいて、調理用具や食器の洗浄後に、送風を当て素早く水気を切り乾燥させることができ、かつ、洗い場のシンクに対しても送風を当てることで、すばやく乾燥させカビなどの雑菌の繁殖を抑制することができるという効果のある手乾燥装置を提供できる。
【００１９】
また、運転判断手段を手動型開閉器としたことにより誤作動による送風を抑制し必要なときに任意に乾燥することができ、周囲に水や水滴があるときは不用意な送風による周囲への水飛び防止、周囲に置いてある物への不用意な送風による飛散防止ができるという効果のある手乾燥装置を提供できる。
【００２０】
また、運転判断手段を非接触型センサーとしたことにより送風が必要な対象物に対して自動的に乾燥を行なうことができる。
【００２１】
例えば、赤外センサーにて距離検出をした場合、対象物が検出距離まで近づくと自動的に送風し、離れると自動的に停止することや、例えば集電センサーや人感センサーにて人を検出した場合、人がいることや人が監視しているときのみ送風を自動的に行ない、人がいなくなることで自動的に送風を停止することができるという効果のある手乾燥装置を提供できる。
【００２２】
また、固定部をマグネットとしたことによりノズル部の着脱作業が容易となり、特に装着時にはマグネット作用により、所定の取付場所にノズル部を誘導するので、注視することなく装着ができるという効果のある手乾燥装置を提供できる。
【００２３】
また、ノズル部の着脱を検出する着脱検出手段を備えたことによりノズル部を移動しているときの周囲への不用意な送風とノズル部の暴れを抑制し、ノズル部の取り扱い易さを向上することができるという効果のある手乾燥装置を提供できる。
【００２４】
また、ノズル部を本体に固定しているときに作動する第一運転判断手段と、本体からノズル部が取り外されたときに作動する前記第一運転判断手段とは検出方式の異なる第二運転判断手段とを備えたことにより本体にノズル部を取り付けている時と、取り外した時は使用用途が異なるため、それぞれの使用用途に応える送風の発停ができる。
【００２５】
例えば、第一運転判断手段は非接触型センサーとし、第一運転手段に手を近づけることにより送風を行ない、手を触れることなく手の乾燥ができ、第二運転判断手段は手動型開閉器とすることで、手元にて送風の発停を任意に行なうことができるという効果のある手乾燥装置を提供できる。
【００２６】
また、ノズル部の着脱を検出すると送風の風量を切換える機能を有することにより本体に取り付けているときは、手の乾燥として最も適している風量（例えば最大風量）として、本体から取り外したときは乾燥対象物に適した風量（例えば風量を減少する）として異なる使用方法に適した風量を自動的に切換えて効率的な送風をし、省エネを図ることができるという効果のある手乾燥装置を提供できる。
【００２７】
また、風量可変手段を備えたことにより送風風量を任意に設定できるので、本体からノズル部を取り外して使用する場合は、乾燥する対象物により必要で効率的な送風の風量が異なることや、本体に取り付けて手の乾燥機として使用されるときも、性別や年齢、性格などから好みが判れる要望に応えることができるという効果のある手乾燥装置を提供できる。
【００２８】
また、ヒーターを備えたことにより温風により気化熱の補助をし蒸発作用を高めることができ、乾燥時間を短縮するとともに、冬場など周囲温度が低いときに使用者への不快感（冷たいと感じること）を低減することができるという効果のある手乾燥装置を提供できる。
【００２９】
また、イオン発生器を備えたことにより通常の乾燥に加えて除電効果、消臭効果、酸化抑制を付加でき、除電効果においては冬場に多く発生する静電気の帯電中和作用、消臭効果においてはトイレや食肉加工産業における臭いの中和作用、食品や生花などの長期保存を助長する酸化抑制作用など、イオン化された空気の持つ作用により様々な要望に応えることができるという効果のある手乾燥装置を提供できる。
【発明を実施するための最良の形態】
【００３０】
本発明の請求項１記載の発明は、発停条件の検出を行う運転判断手段と、吹出口を備えたノズル部と、前記ノズル部と前記本体とが着脱可能なように形成された固定部にて固定され、前記本体と前記ノズル部が、前記送風手段からの送風を前記吹出口へと導き、伸縮折り曲げ自在に形成された送風路にて接続されるものであり、制御手段は運転判断手段より入力を受付けると、送風手段を駆動させることで送風路を通して吸込口から吹出口へ向かい送風作用が発生し、吹出口から風が吹出し、吹出した先にある大粒の水滴や埃を吹き飛ばし、残留した水分については蒸発を促進し乾燥させることができるという作用を有する。
【００３１】
また、運転判断手段を手動型開閉器としたものであり、手動型開閉器の接点の開閉状態において送風の発停状態を切換られるので、手元で任意に送風の発停をすることができるという作用を有する。
【００３２】
また、運転判断手段を非接触型センサーとしたものであり、非接触型センサーの検出条件に合致したとき、送風の発停状態を切換られるので、必要なときに自動的に送風の発停をすることができるという作用を有する。
【００３３】
また、固定部をマグネットとしたものであり、マグネット作用にて本体にノズル部を固定するので、簡易に固定部を構成できるという作用を有する。
【００３４】
また、ノズル部の着脱を検出する着脱検出手段を備えたものであり、着脱検出手段によりノズル部が本体と取り外されたことを検出すると、所定の期間は送風の風量を可変するまたは、停止することができるという作用を有する。
【００３５】
また、ノズル部を本体に固定しているときに作動する第一運転判断手段と、本体からノズル部が取り外されたときに作動する前記第一運転判断手段とは検出方式の異なる第二運転判断手段とを備えたものであり、ノズル部の着脱状態により送風の発停条件を変えることができるという作用を有する。
【００３６】
また、ノズル部の着脱を検出すると送風の風量を切換える機能を有するものであり、ノズル部が本体に取り付けられているときと、取り外されたときにおいて、異なる風量の設定を予めしておくことで、着脱検出手段によりノズル部の着脱を検出すると、送風の風量を切換えることができるという作用を有する。
【００３７】
また、風量可変手段を備えたものであり、送風の風量を風量可変手段にて任意に設定して送風をすることができるという作用を有する。
【００３８】
また、ヒーターを備えたものであり、ヒーターの発熱により送風を温風にすることができるという作用を有する。
【００３９】
また、イオン発生器を備えたものであり、イオン発生器によりイオン化された空気の送風を供給することができるという作用を有する。
【００４０】
以下、本発明の実施の形態について図面を参照しながら説明する。
【００４１】
（実施の形態１）
本発明の実施の形態１は、図１および、図２に示すように、本体１に送風手段２と給気する吸込口３と送風手段２の駆動をする制御手段４を備えた手乾燥装置において、プッシュスイッチを用いた手動型開閉器の運転判断手段５と、吹出口６を備えたノズル部７と、ノズル部７と本体１とが着脱可能なようにマグネットを用いた固定部８にて固定され、本体１とノズル部７が、送風手段２からの送風を吹出口６へと導き、伸縮折り曲げ自在に形成された送風路９にて接続され、制御手段４は運転判断手段５より入力を受付けると、送風手段２を駆動させることで送風路９を通して吸込口３から吹出口６へ向かい送風作用が発生し、吹出口６から風が吹出し、吹出した先にある大粒の水滴や埃を吹き飛ばし、残留した水分については蒸発を促進し乾燥させ、運転判断手段５に用いた手動型開閉器の接点の開閉状態において送風の発停状態を切換られるので、手元で任意に送風の発停をすることができ、マグネット作用にて本体１にノズル部７を固定するので、簡易に固定部８を構成することが可能となる構成である。図２（ａ）はノズル部７を本体１に取り付けた状態を示す図であり、図２（ｂ）はノズル部７を本体１から取り外した状態を示す図である。
【００４２】
運転判断手段５は、プッシュスイッチを用いた手動型開閉器であり、例えば、プッシュスイッチを押したときに接点が閉、すなわち運転ＯＮとなり、再度押されることで、接点が開、すなわち運転ＯＦＦとなり、運転状態を判断するものである。送風手段２としては、送風できれば良く、送風機などがある。
【００４３】
また、運転判断手段５の他例としての手動型開閉器は手動操作したことが判断できれば良く、プッシュスイッチの他にトグルスイッチ、シーソースイッチなどのスイッチ類や主にタッチパネルに用いられる圧電素子や静電容量の変化を検出する方式のものでも良い。
【００４４】
また、固定部８はノズル部７を本体１に着脱可能なように固定できれば良く、マグネットの他に樹脂などのバネ性の性質を利用してツメの形状を形成し本体１に固定することや、マジックテープ（登録商標）のように互いに保持して固定するなどしても良い。
【００４５】
また、送風路９は伸縮折り曲げ自在に形成されれば良く、ゴムを用いてチューブ形状としたものや樹脂を用いてジャバラ形状とするなど使用材料や形状を変化させても良い。
【００４６】
上記構成において、ノズル部７を本体１から着脱可能な構成とし、また、送風手段２からの送風を吹出口６へと導き、伸縮折り曲げ自在に形成された送風路９にて本体１とノズル部７が接続される構成としたので、本体１にノズル部７を固定しているときは、両手を自由に動かしながら乾燥（第一の乾燥モード）でき、本体１からノズル部７を取り外したときは、吹出部を任意に移動させながら乾燥（第２の乾燥モード）あるいは移動させて移動先で固定して乾燥するという本体での乾燥と移動先での乾燥の２種類の乾燥用途を実現することができる。
【００４７】
例えば、キッチンに設置したときは、濡れた手を第一の乾燥モードにて素早く乾燥することができ、また、第２の乾燥モードにおいて、調理用具や食器の洗浄後に、送風を当て素早く水気を切り乾燥させることができ、かつ、洗い場のシンクに対しても送風を当てることで、すばやく乾燥させカビなどの雑菌の繁殖を抑制することができる。
【００４８】
また、誤作動による送風を抑制し、必要なときに任意に乾燥することができ、周囲に水や水滴があるときは不用意な送風による周囲への水飛び防止、周囲に置いてある物への不用意な送風による飛散防止ができる。
【００４９】
また、ノズル部７の着脱作業が容易となり、特に装着時にはマグネット作用により、所定の取付場所にノズル部７を誘導するので、注視することなく装着ができる。
【００５０】
（実施の形態２）
本発明の実施の形態１と同一部分は同一番号を附し、詳細な説明は省略する。本発明の実施の形態２は、図３に示すように、所定の距離以下となると送風を開始する赤外線センサーを用いた非接触型センサーの運転判断手段５とし、ノズル部７の着脱を検出する着脱検出手段１０を備え、ノズル部７の着脱を検出すると送風の風量を切換える機能を制御手段４に有し、ノズル部７にヒーター１１とイオン発生器１２を備え、運転判断手段５の検出条件に合致したとき、送風の発停状態を切換られるので、必要なときに自動的に送風の発停をすることができ、また、着脱検出手段１０によりノズル部７が本体１と取り外されたことを検出すると、所定の期間（例えば５秒間とする。この所定の期間はノズル部７を乾燥対象物の所へ移動するのに要する時間で設定されるものであり０．１秒〜６０秒間程度となる。）は送風により発生する揚力でノズル部７に力が加わらないように、送風を停止する。
【００５１】
また、ノズル部７が本体１に取り付けられているときと、取り外されたときにおいて、異なる風量の設定を予めしておくことで、着脱検出手段１０によりノズル部７の着脱を検出すると、送風の風量を切換えることができ、ヒーター１１の発熱により送風を温風にし、イオン発生器１２によりイオン化された空気の送風を供給するように構成される。
【００５２】
また、非接触型のセンサーを用いた運転判断手段５は、送風をする対象物に接触することなく、対象物を検出できれば良く、赤外線を用いた測距センサーの他に人感センサー、ホコリセンサーなどを用いても良い。
【００５３】
また、着脱検出手段１０は、ノズル部７と本体１の接続状態を検出できれば良く、直接接触して検出する方式のリミットスイッチや圧電素子を用いてもよいし、間接的に検出する方式の測距センサーなどを用いても良い。
【００５４】
また、実施の形態２においては、本体１に着脱検出手段１０を備えた構成として記述したが、ノズル部７に備えてもその主たる作用、効果は同一である。
【００５５】
また、送風の風量を切換える機能は、送風の風量を可変させられれば良く、トライアックを用いた位相制御、トランジスタを用いたＰＷＭ制御、ＰＡＭ制御などがある。
【００５６】
また、実施の形態２においては、ノズル部７にヒーター１１とイオン発生器１２を備えた構成として記述したが、本体１に備えてもその主たる作用、効果は同一である。
【００５７】
また、実施の形態２においては、着脱検出手段１０によりノズル部７が本体１と取り外されたことを検出すると、所定の期間は送風を停止する作用で記述したが、吹出口６から吹出される送風において、周囲への不用意な送風とノズル部７が暴れることを抑制できればよく、送風量の減量としてもよい。
【００５８】
上記構成において送風が必要な対象物に対して自動的に乾燥を行なうことができる。
【００５９】
例えば、赤外センサーにて距離検出をした場合、対象物が検出距離まで近づくと自動的に送風し、離れると自動的に停止することや、例えば、人感センサーにて人を検出した場合、人がいることや人が監視しているときのみ送風を自動的に行ない、人がいなくなることで自動的に送風を停止することや、例えば、ホコリセンサーにて周囲のホコリを検出した場合、ホコリが所定の量を超えている場合に自動的に送風を行い、ホコリが所定の量以下となると自動的に停止することができる。
【００６０】
また、ノズル部７を移動しているときの周囲への不用意な送風とノズル部７の暴れを抑制し、ノズル部７の取り扱い易さを向上することができる。
【００６１】
また、本体１に取り付けているときは、手の乾燥として最も適している風量（例えば、最大風量）として、本体１から取り外したときは乾燥対象物に適した風量（例えば、風量を減少する）として異なる使用方法に適した風量を自動的に切換えて効率的な送風をし、省エネを図ることができる。
【００６２】
また、温風により気化熱の補助をし、蒸発作用を高めることができ、乾燥時間を短縮するとともに、冬場など周囲温度が低いときに使用者への不快感（冷たいと感じること）を低減することができる。
【００６３】
また、通常の乾燥に加えて除電効果、消臭効果を付加でき、除電効果においては冬場に多く発生する静電気の帯電中和作用、消臭効果においてはトイレにおける臭いの中和作用など、イオン化された空気の持つ作用により様々な要望に応えることができる。
【００６４】
（実施の形態３）
本発明の実施の形態１、２と同一部分は同一番号を附し、詳細な説明は省略する。本発明の実施の形態３は、図４に示すように、運転判断手段として第一運転判断手段１３と第二運転判断手段１４の検出方法の異なる二つを用い、ノズル部７を本体１に固定しているときに作動する非接触型センサーを用いた第一運転判断手段１３と、本体１からノズル部７が取り外されたときに作動する手動型開閉器を用いた第二運転判断手段１４とを備え、ノズル部７の着脱状態により送風の発停条件を変えるように構成される。
【００６５】
上記構成において、本体１にノズル部７を取り付けているときは、第一運転判断手段１３により送風の発停を制御し、本体１に触れず手をかざすだけで送風の発停ができるので、衛生的な乾燥ができ、また、本体１からノズル部７を取り外したときは、ノズル部７に備えた第二運転判断手段１４により送風の発停を制御し、手元にて送風の発停を任意に行なうことができ、それぞれの使用用途に合った使い勝手の良い送風の発停ができる。
【００６６】
（実施の形態４）
本発明の実施の形態１乃至３と同一部分は同一番号を附し、詳細な説明は省略する。本発明の実施の形態４は、図５に示すように、スイッチを用いた風量可変手段１５を備え、スイッチのＯＮ―ＯＦＦにより、強弱の２段階の予め設定しておいた風量に変化させ、送風の風量を使用者が任意に設定できるように構成される。
【００６７】
また、風量可変手段１５は風量の設定を変えた事を制御手段４に伝えることができれば良く、スイッチの他に、可変抵抗器や発信回路を用いて無段階の設定としても良い。
【００６８】
上記構成において本体１からノズル部７を取り外して使用する場合は、乾燥する対象物に合わせて必要で効率的な送風の風量に設定できることや、本体１に取り付けて手の乾燥機として使用する場合も、送風の風量は性別や年齢、性格などから好みが判れるため、任意に送風の風量を設定できることにより個人的な要望に応える乾燥をすることができる。
【産業上の利用可能性】
【００６９】
本発明の手乾燥装置は、送風の吹出ノズル部を任意に移動できることを特徴としたものであり、移動範囲内に限られるが、手以外の乾燥用途や、送風によりホコリを吹き飛ばすような掃除用途にも適用できる。
【図面の簡単な説明】
【００７０】
【図１】本発明の実施の形態１の構成を示すブロック図
【図２】本発明の実施の形態１の構成を示す斜視図
【図３】本発明の実施の形態２の構成を示すブロック図
【図４】本発明の実施の形態３の構成を示すブロック図
【図５】本発明の実施の形態４の構成を示すブロック図
【図６】従来の手乾燥装置の一例を示すブロック図
【図７】従来の手乾燥装置の一例を示す斜視図
【符号の説明】
【００７１】
１    本体
２    送風手段
３    吸込口
４    制御手段
５    運転判断手段
６    吹出口
７    ノズル部
８    固定部
９    送風路
１０  着脱検出手段
１１  ヒーター
１２  イオン発生器
１３  第一運転判断手段
１４  第二運転判断手段
１５  風量可変手段
【図１】
2007151721.tif 000003
【図２】
2007151721.tif 000004
【図３】
2007151721.tif 000005
【図４】
2007151721.tif 000006
【図５】
2007151721.tif 000007
【図６】
2007151721.tif 000008
【図７】
2007151721.tif 000009